(57)【要約】      （修正有）【課題】術者の手がハンドピースのヘッド部に装着されている刃物（バー）に当たるような危険がなく、しかも、引き出したインスツルメントに接続されているインスツルメントホースが隣接載置されているインスツルメントの刃物で傷つくことがないようにしたインスツルメントホルダの提供。【解決手段】３は歯科治療用インスツルメント４を水平状態に載置する横置式の歯科治療用インスツルメントホルダで、該ホルダは、細長の上方開口の筺体１０を有する。筺体１０は、前方にインスツルメント４のヘッド部４ａを収容するヘッド部収容部１０ａと、中央部にインスツルメント４の握持部４ｃを底面より浮かせて収容する握持部収容部１０ｃとを有し、インスツルメント４の握持部４ｃに対応する両側壁部に切り欠き部１０ｅを有する。術者は、この切り欠き部１０ｅを通してインスツルメント４の握持部４ｃを掴む。【選択図】図１
2007275174.tif 000002
【特許請求の範囲】
【請求項１】
歯科治療用インスツルメントを水平状態に載置する横置式の歯科治療用インスツルメントホルダにおいて、前記インスツルメントホルダは、細長の上方開口の筺体を有し、該筺体は、前方にインスツルメントのヘッド部を収容するヘッド部収容部と、中央部に前記インスツルメントの握持部を底面より浮かせて収容する握持部収容部とを有し、かつ、前記インスツルメントの握持部に対応する両側壁部に切り欠き部を有し、該切り欠き部を通して前記インスツルメントの握持部を掴むようにしたことを特徴とする歯科治療用インスツルメントホルダ。
【請求項２】
前記筺体内前方にインスツルメントのヘッドネック部を支える突起を有し、後端部に前記インスツルメントの後端部を支える突起を有し、これら突起上にインスツルメントを載置することにより、該インスツルメントのヘッド部を前記ヘッド部収容部に収容し、握持部を前記握持部収容部に収容するようにしたことを特徴とする請求項１に記載の歯科治療用インスツルメントホルダ。
【請求項３】
前記筺体が複数個インスツルメントホルダ基板上に並行に配設されていることを特徴とする請求項１又は２に記載の歯科治療用インスツルメントホルダ。
【請求項４】
歯科治療用インスツルメントを水平状態に載置する横置き式インスツルメントホルダにおいて、該インスツルメントホルダは、単一の基板に形成された細長の凹部を有し、該凹部はインスツルメントのヘッド部が収容されるヘッド部収容部と、該インスツルメントの握持部を底面より浮かせて載置する握持部収容部とから成ることを特徴とする歯科治療用インスツルメントホルダ。
【請求項５】
前記凹部内前方にインスツルメントのヘッドネック部を支えるネック部支持突起を有し、後端部に該インスツルメントの後端部を支える後端部支持突起を有し、これら突起にて前記インスツルメントの把持部を前記基板の底面より浮かせて載置していることを特徴とする請求項４に記載の歯科治療用インスツルメントホルダ。
【請求項６】
前記基板は前記細長の凹部を複数個並行して有し、前記握持部収容部は隣接する凹部と連通していることを特徴とする請求項４又は５に記載の歯科治療用インスツルメントホルダ。
【発明の詳細な説明】
【技術分野】
【０００１】
本発明は、歯科治療用インスツルメントホルダ、より詳細には、歯科治療に使用する、例えば、エアータービン、マイクロエンジン等のハンドピース（インスツルメント）を水平（横置き）に載置するインスツルメントホルダにおいて、該ハンドピースをインスツルメントホルダから引き出す時、或いは、インスツルメントホルダに戻す時に、自身の又は隣接して載置されたインスツルメントに装着されている刃物（バー）に手が触れて怪我をしてしまうことによる裂傷や感染を防止するようにし、或いは、隣接するインスツルメントに装着されている刃物で当該インスツルメントが接続されているインスツルメントホースが裂傷されるのを防止するようにした歯科治療用インスツルメントホルダに関する。
【背景技術】
【０００２】
図３は、本発明が適用されるインスツルメントホルダを有する歯科治療ユニットの一例を示す全体構成図で、該歯科治療ユニットは、治療椅子１、ワークテーブル２、インスツルメントホルダ３、インスツルメント４、インスツルメントホース５等から成り、インスツルメントホルダ３には、歯科治療において使用する種々のインスツルメント（ハンドピース）４が収納されており、周知のように、歯科治療に当り、患者は椅子１に座り、頭を安頭台１ａに固定して治療を受ける。治療中、術者は治療椅子１を上下動，倒起動，傾斜動等させて、患者を治療しやすい姿勢にして治療を行う。
【発明の開示】
【発明が解決しようとする課題】
【０００３】
上述のごとき歯科治療ユニットにおいて、インスツルメントホルダ３には、周知のように、エアータービン、マイクロエンジン、シリンジ等種々の歯科治療用インスツルメント４が搭載され、その都度、歯科治療に必要とされるインスツルメント４が該インスツルメントホルダ３から引き出されて使用されるが、従来のインスツルメントホルダ３は、図４に代表して概略を示すように、ヘッド部４ａが手前側（ドクター側）になるように、インスツルメント４を収納しており、インスツルメント４をインスツルメントホルダ３から引き出す時、又は、引き出したインスツルメント４をインスツルメントホルダ３に戻す時に、術者（ドクター）の手がヘッド部４ａに装着されている刃物６に当って危険であり、また、インスツルメント４を引き出す時又は戻す時に当該インスツルメントのインスツルメントホース５が隣接して載置されているインスツルメントの刃物６に当って該インスツルメントホースが裂傷する等の問題があった。
【０００４】
本発明は、上述のごとき実情に鑑みてなされたもので、術者の手がインスツルメント（ハンドピース）のヘッド部に装着されている刃物（バー）に当るような危険がなく、しかも、引き出したインスツルメントに接続されているインスツルメントホースが隣接して載置されているインスツルメントの刃物で傷つくことがないようにしたインスツルメントホルダを提供することを目的としてなされたものである。
【課題を解決するための手段】
【０００５】
請求項１の発明は、歯科治療用インスツルメントを水平状態に載置する横置式の歯科治療用インスツルメントホルダにおいて、前記インスツルメントホルダは、細長の上方開口の筺体を有し、該筺体は、前方にインスツルメントのヘッド部を収容するヘッド部収容部と、中央部に前記インスツルメントの握持部を底面より浮かせて収容する握持部収容部とを有し、かつ、前記インスツルメントの握持部に対応する両側壁部に切り欠き部を有し、該切り欠き部を通して前記インスツルメントの握持部を掴むようにしたことを特徴としたものである。
【０００６】
請求項２の発明は、請求項１の発明において、前記筺体内前方にインスツルメントのヘッドネック部を支える突起を有し、後端部に前記インスツルメントの後端部を支える突起を有し、これら突起上にインスツルメントを載置することにより、該インスツルメントのヘッド部を前記ヘッド部収容部に収容し、握持部を前記握持部収容部に収容するようにしたことを特徴としたものである。
【０００７】
請求項３の発明は、請求項１又は２の発明において、前記筺体が複数個インスツルメントホルダ基板上に並行に配設されていることを特徴としたものである。
【０００８】
請求項４の発明は、歯科治療用インスツルメントを水平状態に載置する横置き式インスツルメントホルダにおいて、該インスツルメントホルダは、単一の基板に形成された細長の凹部を有し、該凹部はインスツルメントのヘッド部が収容されるヘッド部収容部と、該インスツルメントの握持部を底面より浮かせて載置する握持部収容部とから成ることを特徴としたものである。
【０００９】
請求項５の発明は、請求項４の発明において、前記凹部内前方にインスツルメントのヘッドネック部を支えるネック部支持突起を有し、後端部に該インスツルメントの後端部を支える後端部支持突起を有し、これら突起にて前記インスツルメントの把持部を前記基板の底面より浮かせて載置していることを特徴としたものである。
【００１０】
請求項６の発明は、請求項４又は５の発明において、前記基板は前記細長の凹部を複数個並行して有し、前記握持部収容部は隣接する凹部と連通していることを特徴としたものである。
【発明の効果】
【００１１】
術者の手がインスツルメント（ハンドピース）のヘッド部に装着されている刃物（バー）に当るような危険がなく、しかも、引き出したインスツルメントに接続されているインスツルメントホースが隣接して載置されているインスツルメントの刃物で傷つくことがないようにしたインスツルメントホルダを提供することができる。
【発明を実施するための最良の形態】
【００１２】
図１は、本発明による歯科治療用インスツルメントホルダの一実施例を説明するための要部概略構成図で、図１（Ａ）はインスツルメントホルダ３にインスツルメント４が載置されている状態を示す斜視図、図１（Ｂ）は一部側断面図、図１（Ｃ）は本発明によるインスツルメント載置用筺体で、図中、２はワークテーブル、３はインスツルメントホルダの基板、４はインスツルメントで、インスツルメントホルダは、図２に示した従来のインスツルメントホルダと同様、複数本のインスツルメント４を並行に横置式に載置するものであり、施術に当り、術者は必要なインスツルメントを取り出して使用するものである。
【００１３】
而して、図３及び図４にて示したように、従来のインスツルメントホルダはインスツルメント４をインスツルメントホルダ３から取り出す時或いは取り出したインスツルメント４をインスツルメントホルダ３に戻す時に、隣接するインスツルメントに装着されている刃物（バー）に術者の手が触れて怪我をする等の問題があった。
【００１４】
本発明は、上述のごとき問題を解決するためになされたもので、本発明において、インスツルメントホルダ３は、図１（Ａ）、図１（Ｂ）に示すように、インスツルメントホルダ基板１１と該基板１１上に搭載される複数のインスツルメント載置用筺体１０（１０1〜１０4）から成り、各インスツルメント４は、対応するそれぞれの筺体１０内に載置収納されるようになっている。これらの筺体１０は、図１（Ｃ）に斜視図にて示すように、インスツルメント４のヘッド部４ａが収納される凹部１０ａと、インスツルメント４のネック部４ｂを支える突起１０ｂと、インスツルメント４の本体部（握持部）４ｃを橋架する凹部１０ｃと、インスツルメント４のコネクト部（インスツルメントホース５との連結部）４ｄを支える突起１０ｄとから成り、インスツルメント４を筺体１０上に載置した時に、図１（Ａ），図１（Ｂ）に示すように、インスツルメント４のヘッド部４ａが筺体１０の先端部に設けられた凹部１０ａ内に収納され、術者の手が、該ヘッド部４ａ部を移動しても、該術者の手がヘッド部４ａに取り付けられている刃物６に触れるようなことはなく、インスツルメントを取り出す時に、或いは、取り出したインスツルメントをインスツルメントホルダに戻す時に、術者の手が刃物６に触って傷つくようなことはない。
【００１５】
上述のように、本発明によるとインスツルメント４のヘッド部４ａ（従って、刃物６）が周囲を壁によって囲まれた凹部１０ａ内に収納されているので、術者の手がインスツルメントの刃物に触れて怪我をするようなことはないが、更に、本発明においては、インスツルメントの本体部（握持部）４ｃに相当する部分１０ｃの両側部１０ｅが切り欠かれており、しかも、この切り欠かれた部分１０ｅにおいて、インスツルメント４が筺体１０の底面から浮いており、これによって、術者はインスツルメントの本体部（握持部）４ｃを切り欠き部１０ｅを通して容易に掴むことができ、インスツルメントのインスツルメントホルダからの取り出し、及び、取り出した後のインスツルメントのインスツルメントホルダへの戻しを容易にしている。
【００１６】
前述のように、インスツルメント４の握持部４ｃを底面から浮かせていくためには、筺体１０内において、インスツルメント４のヘッドネック部４ｂに相当する部分１０ｂ及びインスツルメントホース５との接続部４ｄに対応する部分１０ｄが高く形成されており、これら高く形成された突起部１０ｂと１０ｄでインスツルメント４を支えることにより、インスツルメント４の握持部４ｃを底面より浮かせることができ、これにより、インスツルメント４の握持部４ｃを筺体１０の切り欠き部１０ｅを通して把持することができるようになっている。
【００１７】
図２は、本発明によるインスツルメントホルダの他の実施例を説明するための要部構成図で、図２（Ａ）はワークテーブル２に本発明によるインスツルメントホルダ３を取り付けた時の状態を示す図、図２（Ｂ）は本発明によるインスツルメントホルダ本体部を示す斜視図、図２（Ｃ）は図２（Ｂ）のＣ−Ｃ断面図にインスツルメントを搭載した時の状態を示す図で、本実施例においては、インスツルメント４を搭載する基板２０に直接インスツルメントホルダ部を形成したもので、図２（Ａ）において、２０1，２０2，２０3，２０4は、本発明によるインスツルメントホルダ部である。
【００１８】
図２において、インスツルメントホルダ基板２０は、複数の並行に形成されたインスツルメント搭載凹部２０1〜２０4を有し、各インスツルメント搭載凹部は、図１に示したインスツルメント収納筺体１０と同様、インスツルメント４のヘッド部４ａを収容する凹部２０ａと、ヘッドネック部４ｂを支持する突起２０ｂと、握持部４ｃを橋架する凹部２０ｃと、インスツルメントホース５との接続部４ｄを支持する突起２０ｄとから成り、突起２０ｂと２０ｄにより、インスツルメント４の握持部４ｃを橋架し、該橋架部（握持部）４ｃを凹部２０ｃに手を入れて掴むことにより、インスツルメント４の取り出し、及び、取り戻しを容易にし、かつ、ヘッド部４ａに装着されている刃物６を凹部２０ａに収納し、該刃物６に術者の手が触れることのないようにしている。なお、この場合、インスツルメント４の握持部を架橋する凹部２０ｃは隣接するインスツルメント載置部の凹部と連通しており、換言すれば、全ての凹部２０ｃが連通しており、これにより、インスツルメントの取り戻しを容易にし、しかもインスツルメント間の間隔を狭めることができるようにしている。
【図面の簡単な説明】
【００１９】
【図１】本発明による歯科治療用インスツルメントホルダの一実施例を説明するための構成図である。
【図２】本発明による歯科治療用インスツルメントホルダの他の実施例を説明するための構成図である。
【図３】本発明が適用されるインスツルメントホルダを備えた歯科治療ユニットの概略全体構成図である。
【図４】本発明が適用される歯科治療用インスツルメントホルダの一例を説明するための図である。
【符号の説明】
【００２０】
２…ワークテーブル、３…インスツルメントホルダ、４…インスツルメント、５…インスツルメントホース、６…刃物、１０…インスツルメント収納筺体、１１…インスツルメントホルダ収納筺体搭載基板、２０…インスツルメント搭載基板。
【図１】
2007275174.tif 000003
【図２】
2007275174.tif 000004
【図３】
2007275174.tif 000005
【図４】
2007275174.tif 000006